(57)【特許請求の範囲】
【請求項１】
水を含有する苔を椀形に成型した後に、該椀形の苔の窪みに根付き植物の根部を挿入して椀形の苔を球状に成形し、該球状苔を垂直方向に対して１８度から２２度傾斜して球状苔を加圧しながら１周目の糸をやや強く巻いてから球状苔を水平方向に１０度から１５度回転して２周目以下の糸をやや強く順次巻くことを繰返して巻付けた後に、糸の先端部と後端部とを固定して球状苔固定成形体にし、更に該球状苔固定成形体の正面側に人造の目を止着することを特徴とする植物栽培体の製造方法。
【請求項２】
球状苔固定成形体が、球状苔固定成形体の正面側に人造の鼻を止着することを特徴とする請求項１記載の植物栽培体の製造方法。
【請求項３】
球状苔固定成形体が、球状苔固定成形体の正面側に人造の口を止着することを特徴とする請求項１記載の植物栽培体の製造方法。
【請求項４】
球状苔固定成形体が、球状苔固定成形体の正面側に人造の耳を止着することを特徴とする請求項１記載の植物栽培体の製造方法。
【請求項５】
球状苔固定成形体が、球状苔固定成形体の正面側に人造の髪を止着することを特徴とする請求項１記載の植物栽培体の製造方法。
【請求項６】
球状苔固定成形体が、球状苔固定成形体の表面を整形切断することを特徴とする請求項１，２，３，４及び５記載の植物栽培体の製造方法。
【発明の詳細な説明】
【技術分野】
【０００１】  この発明は、根付き植物の根部を球状苔の中心部に有する植物栽培体の製造方法に係わるものである。
【背景技術】
【０００２】  従来の植物栽培体の製造方法は、植木鉢の中に根付き植物の根部を土などとともに入れるという製造方法が一般に行われいる。【０００３】  この従来の製造方法で造った植木鉢入り植物栽培体では、卓上などの室内、庭などの屋外に置いた際に植物の根部の周囲は土と植木鉢で被覆されているので、植物の根部の周囲は動物の目などを自由に取付けることができないという問題点があったし、装飾をも兼ねた置物としてはあまり綺麗ではないという問題点があった。
【特許文献１】  特開２００３−２３５３５９
【発明の開示】
【発明が解決しようとする課題】
【０００４】  この発明は、従来の製造方法で造った植木鉢入り植物栽培体が有するこれらの問題点を解消することであり、製造した植物栽培体の植物を生育しながら植物栽培体が良く形を保てることや植物の枝葉などを観賞することとともに植物栽培体の根部周囲の造形美などをも観賞すること、植物栽培体の根部周囲に動物の目などを自由に取付けられることなどである。
【問題を解決するための手段】
【０００５】  この発明の植物栽培体の製造方法は、水を含有する苔を椀形に成形した後に、この椀形の苔の窪みに根付き植物の根部を挿入して椀形の苔を球状に成形し、この球状苔を垂直方向に対して１８度から２２度傾斜して球状苔を加圧しながら１周目の糸をやや強く巻いてから球状苔を水平方向に１０度から１５度回転して２周目以下の糸をやや強く順次巻くことを繰返して巻付けた後に、糸の先端部と後端部とを固定して球状苔固定成形体にし、更にこの球状苔固定成形体の正面側に人造の目を止着するという製造方法である。
【発明の効果】
【０００６】  この発明の植物栽培体の製造方法は、水を含有する苔を椀形に成形した後に、この椀形の苔の窪みに根付き植物の根部を挿入して椀形の苔を球状に成形し、この球状苔を垂直方向に対して１８度から２２度傾斜して球状苔を加圧しながら１周目の糸をやや強く巻いてから球状苔を水平方向に１０度から１５度回転して２周目以下の糸をやや強く順次巻くことを繰返して巻付けた後に、糸の先端部と後端部とを固定して球状苔固定成形体にし、更にこの球状苔固定成形体の正面側に人造の目を止着して造るから、製造した植物栽培体は糸で固定成形してあるために苔製であるにも拘らず球状形を良く保つことができるという植物栽培体を製造することができるとともに苔製植物栽培体は水などを良く保有することができるために植物の生育に必要な水などを球状苔から植物の根に供給することができる植物栽培体を製造することができる。このようにして製造した植物栽培体を卓上、玄関、風呂場、トイレ、庭などに置く際に、装飾皿や育成ポットの上に置いて使用することにより植物の枝葉などを観賞できる植物栽培体を製造することができると同時に植物栽培体の根部周囲は苔製球状形であることと苔特有の緑色又は茶色などの色彩を有するために造形美と色彩を観賞できる植物栽培体を製造することができる。更に球状苔固定成形体の正面側に動物の目などを簡単に止着することができるとともに前記の造形美と色彩に合わせて動物の目などにより綺麗な植物栽培体を製造することができるという効果がある。
【０００７】  請求項２の植物栽培体の製造方法は、植物栽培体の正面側に人造の鼻を止着して製造するから、製造した植物栽培体は植物栽培体に鼻と目を有するために外観が綺麗な植物栽培体を製造することができる。
【０００８】  請求項３の植物栽培体の製造方法は、植物栽培体の正面側に人造の口を止着して製造するから、製造した植物栽培体は植物栽培体に口と目を有するために外観が綺麗な植物栽培体を製造することができる。
【０００９】  請求項４の植物栽培体の製造方法は、植物栽培体の正面側に人造の耳を止着して製造するから、製造した植物栽培体は植物栽培体に耳と目を有するために外観が綺麗な植物栽培体を製造することができる。
【００１０】  請求項５の植物栽培体の製造方法は、植物栽培体の正面側に人造の髪を止着して製造するから、製造した植物栽培体は植物栽培体に髪と目を有するために外観が綺麗な植物栽培体を製造することができる。
【００１１】  請求項６の植物栽培体の製造方法は、球状苔固定成形体より突出した苔を切断して球状苔固定成形体の表面を整形する方法であるから、植物栽培体の表面が整形したために外観が綺麗な植物栽培体を製造することができるし、植物栽培体を比較的簡単に製造することができる。
【発明を実施するための最良の形態】
【００１２】  植物栽培体の製造方法は、水を含有する苔を椀形に成形した後に、この椀形の苔の窪みに根付き植物の根部を挿入して椀形の苔を球状に成形し、この球状苔を垂直方向に対して１８度から２２度傾斜して球状苔を加圧しながら１周目の糸をやや強く巻いてから球状苔を水平方向に１０度から１５度回転して２周目以下の糸をやや強く順次巻くことを繰返して巻付けた後に、糸の先端部と後端部とを固定して球状苔固定成形体にし、更にこの球状苔固定成形体の正面側に人造の目を止着するという製造方法である。
【実施例１】
【００１３】  チリ国などの外国産や国内産で乾燥して圧縮した水苔を先ず水に漬けて、水苔に水を吸収させる。水を吸収させた水苔を所定量だけ手で取り、水に絞った水苔３１を図９に図示のように、断面円形棒３０と手で椀形に成形し、この椀形の水苔の窪み３２に根付き植物３３の根部３３′を挿入する（図１０図示）とともに肥料、発根剤、保水材を挿入し、必要に応じて水苔、土を挿入して椀形の苔を手で「おにぎり」を造る時と同様にして手で直径６０ｍｍ位の球状苔３４に成形する。
次に、この球状苔３４を垂直方向に対して約２０度傾斜して（図１１図示）球状苔を加圧しながら球状苔３４に糸３５を第１周目をやや強く巻いてから球状苔３４を水平方向に約１０度回転しながら球状苔を加圧しながら球状苔３４に次の２周目以下の糸をやや強く巻くことを繰返して巻付けた後に糸３５の先端部と後端部とを結ぶなどして固定して球状苔固定成形体にし（図１２図示）、この球状苔固定成形体の正面側に動物などの目５を止着して図１図示の植物栽培体６を造る。
この植物栽培体６を造る際に、球状苔固定成形体にした球状苔固定成形体１′の表面より突出した苔を鋏などで切り落して表面を整形するとよいし、植物栽培体６の正面側に止着する人造の動物などの目５，５は図２に図示のように、目の裏側に固定した雄ネジ５″を有する止め具５′を設け、この目５の止め具５′を球状苔固定成形体に雄ネジ５″を回転しながら差込み強固に止着するとよい。なお、苔は水苔、山苔などのように保水性を有するものがよい。【００１４】  この実施例１の製造方法で製造した植物栽培体６は、装飾皿や育成ポットの上に載せ、卓上、玄関、風呂場、トイレ、庭などに置いて使用する。その際に植物栽培体を１日乃至２日おきに１時間位水に漬けたり、時々水を植物栽培体の上に掛けたりなどして水を植物栽培体と植物に補給する。なお、植物は蔦などのつる性植物、観葉植物、花が咲く植物などがよい。
【実施例２】
【００１５】  図３に図示したように、この実施例１と同様な方法で製造した球状苔固定成形体の正面側に目１５，１５そして口１７と髪１８を止着して植物栽培体１６を造る。
この植物栽培体１６に止着する口１７は図４に図示のように、所定の形状にした針金又は合成樹脂で造り、その両端部を裏側に突出した止め部１７′を有し、この口１７の止め部１７′を球状苔固定成形体に差込んで止着し、髪１８は図５に図示のように、所定の色に着色した合成樹脂繊維、布などであり、この髪の両端部で逆Ｕ字形のピン（図示せず）をそれぞれ球状苔固定成形体に差込んで止着する。
【実施例３】
【００１６】  図６に図示したように、この実施例１と同様な方法で製造した球状苔固定成形体の正面側に目２５，２５そして鼻２７と耳２８を止着して植物栽培体２６を造る。
この植物栽培体２６に設けた鼻２７は図７に図示のように、鼻の裏側に固定した雄ネジ２７″を有する止め具２７を設け、この鼻２７の止め具２７′を球状苔固定成形体に雄ネジ２７″を回転しながら差込み強固に止着する。耳２８は図８に図示のように、逆Ｕ形の針金２８′の中段より上の針金２８′の周囲に着色した苔を設け、その周囲に糸を巻付けて耳形に固定成形し、この耳２８の下段の露出した針金２８′を球状苔固定成形体の左右それぞれの所定の位置に差込んで止着する。
【図面の簡単な説明】
【００１７】
【図１】  本発明の方法で製造した植物栽培体の正面図である。
【図２】  部品の拡大側面図である。
【図３】  別の本発明の方法で製造した植物栽培体の正面図である。
【図４】  部品の拡大平面図である。
【図５】  部品の正面図である。
【図６】  他の本発明の方法で製造した植物栽培体の正面図である。
【図７】  部品の側面図である。
【図８】  部品の正面図である。
【図９】  製造時の断面図である。
【図１０】  同じく断面図である。
【図１１】  同じく正面図である。
【図１２】  同じく糸の巻付け方を示す平面図である。
【符号の説明】
【００１８】１    球状苔
１′  球状苔固定成形体
２    植物
３    根部
４    糸
５    目
６    植物栽培体
３１  水苔
３２  椀形の苔の窪み
３３  植物
３４  球状苔
３５  糸
【図１】
0004019378.tif 000002
【図２】
0004019378.tif 000003
【図３】
0004019378.tif 000004
【図４】
0004019378.tif 000005
【図５】
0004019378.tif 000006
【図６】
0004019378.tif 000007
【図７】
0004019378.tif 000008
【図８】
0004019378.tif 000009
【図９】
0004019378.tif 000010
【図１０】
0004019378.tif 000011
【図１１】
0004019378.tif 000012
【図１２】
0004019378.tif 000013